(57)【要約】【課題】阻止状態においてカードを強固に固定するとともに装置全体の小型化及び解除操作の簡易化を図り、かつ、刃とカードとの間に異物が挿入されることを阻止し得るカード処理装置及び自動取引装置を提案する。【解決手段】阻止機構は、第１の阻止部材と、第２の阻止部材と、リンク部材と、カバー部材とを備え、第１の阻止部材は、阻止状態解除レバー押下時に第２の阻止部材の動作の制限を解除するように動作し、第２の阻止部材は、阻止状態解除レバー押下時に刃をカードに接触させた状態を解除するように動作し、リンク部材は、阻止状態解除レバー押下時に第１の阻止部材の動作に連動して第２の阻止部材が動作するように第１の阻止部材と第２の阻止部材とを接続し、カバー部材は、阻止状態解除レバー押下時に端部をカードに当接させた状態を解除するように動作することを特徴とする。
2016163143.tif 000002
【特許請求の範囲】
【請求項１】
カードが抜き取られることを阻止する阻止機構を備えたカード処理装置において、
前記阻止機構は、
第１の阻止部材と、第２の阻止部材と、リンク部材と、カバー部材とを備え、
前記第１の阻止部材は、
阻止状態時に前記第２の阻止部材に係合して前記第２の阻止部材の回転動作を制限し、
阻止状態を解除する阻止状態解除レバーが押下されると、前記第２の阻止部材の回転動作の制限を解除するように動作し、
前記第２の阻止部材は、
阻止状態時に刃を前記カードに接触させた状態を維持し、
前記阻止状態解除レバーが押下されると、前記刃を前記カードに接触させた状態を解除するように回転動作し、
前記リンク部材は、
前記阻止状態解除レバーが押下されると、前記第１の阻止部材の動作に連動して前記第２の阻止部材が回転動作するように前記第１の阻止部材と前記第２の阻止部材とを接続し、
前記カバー部材は、
阻止状態時に端部を前記カードに当接させた状態を維持し、
前記阻止状態解除レバーが押下されると、前記第１の阻止部材の動作に連動して前記端部を前記カードに当接させた状態を解除するように動作する
ことを特徴とするカード処理装置。
【請求項２】
前記第１の阻止部材は、
阻止状態時に端部に形成されている第１の凹凸部を前記第２の阻止部材の端部に形成されている第２の凹凸部に係合して前記第２の阻止部材の回転動作を制限する
ことを特徴とする請求項１に記載のカード処理装置。
【請求項３】
前記第１の阻止部材は、
前記阻止状態解除レバーが押下されると、前記第１の凹凸部が前記第２の凹凸部から離れる方向に回転し、前記第１の凹凸部と前記第２の凹凸部との係合を解除して、前記第２の阻止部材の回転動作の制限を解除する
ことを特徴とする請求項２に記載のカード処理装置。
【請求項４】
前記リンク部材は、
前記阻止状態解除レバーが押下されると、前記第１の阻止部材の回転動作に伴って移動し、所定距離だけ移動した後、前記第１の阻止部材の回転動作を前記第２の阻止部材に伝達して、前記第２の阻止部材を回転させる
ことを特徴とする請求項３に記載のカード処理装置。
【請求項５】
前記第２の阻止部材は、
前記阻止状態解除レバーが押下されると、前記リンク部材を介して、前記第１の阻止部材の回転動作に連動して回転した後、支持部材により支持されて固定される
ことを特徴とする請求項４に記載のカード処理装置。
【請求項６】
前記第１の阻止部材は、
前記阻止状態解除レバーが押下されて前記第２の阻止部材が固定された後、前記阻止状態解除レバーが押下されなくなると、前記第１の凹凸部が前記第２の凹凸部に近づく方向に回転し、前記第２の阻止部材に接触すると回転を停止する
ことを特徴とする請求項５に記載のカード処理装置。
【請求項７】
前記第１の阻止部材は、
回転軸から前記第１の凹凸部までの間の距離が均一ではない偏心カムであり、
前記第２の阻止部材は、
回転軸から前記第２の凹凸部までの間の距離が均一ではない偏心カムである
ことを特徴とする請求項６に記載のカード処理装置。
【請求項８】
前記カバー部材は、
引っ張りばねにより前記端部を前記カードに当接させる方向に力が付勢されており、
阻止状態時には前記第１の阻止部材に形成されている突起による支持が解除され、前記引っ張りばねの力により前記端部を前記カードに当接させた状態を維持し、
前記阻止状態解除レバーが押下されると、前記第１の阻止部材の動作に連動して前記突起が上方向に移動し、該突起の上方向の移動に連動して前記引っ張りばねの力に抗って上方向に移動する
ことを特徴とする請求項７に記載のカード処理装置。
【請求項９】
前記１〜８の何れか１項に記載のカード処理装置を備える
ことを特徴とする自動取引装置。
【発明の詳細な説明】
【技術分野】
【０００１】
本発明は、カード処理装置及び自動取引装置に関し、特に不正にカードが抜き取られることを阻止する阻止機構を備えたカード処理装置及び自動取引装置に適用して好適なものである。
【背景技術】
【０００２】
一般に現金自動預金支払機等の自動取引装置においては、カード処理装置を備えて構成される。カード処理装置は、磁気カード又はＩＣカードのような各種情報が記録されたカードを挿入口から装置内部に向けて搬送し、所定の位置まで搬送すると、磁気ヘッド又はＩＣ接点ユニットを用いてカードに予め記録されている情報を読み取り、またカードに新たな情報を書き込む。【０００３】
ところでカードには個人情報及び取引情報等の重要な情報が記録されていることから、カードを不正に入手（カードフィッシング）して悪用しようとする者がいる。不正行為の代表的な例としては、カード処理装置にカードを挿入すると挿入口近傍でカードが詰まるように予めカード処理装置に細工を施しておき、カード利用者が係員を呼ぶために現場を離れた隙に工具等を利用して詰まらせたカードを抜き取る不正行為がある。【０００４】
特許文献１には、このような不正行為を阻止する阻止機構を備えたカード処理装置が開示されている。具体的には、阻止機構は偏心カムを備え、通常時には回転軸から外周までの距離が短い外周部分をカード搬送路に対して向け、異常時には偏心カムを回転させ、回転軸から外周までの距離が長い外周部分をカード搬送路に対して向けて偏心カムの外周とカードとを接触させる構造が開示されている。【０００５】
この特許文献１によれば、ひとたび阻止機構を動作させて偏心カムを回転させるだけで、偏心カムの外周に設けられた刃がカードに接触し、カードを挿入口から抜き取ろうとすると、カードと刃との間の摩擦力により偏心カムが更に回転して刃がカードに食い込むように構成されているので、カードが抜き取られることを阻止することができるとしている。
【先行技術文献】
【特許文献】
【０００６】
【特許文献１】特許第４２２３３８２号公報
【発明の概要】
【発明が解決しようとする課題】
【０００７】
特許文献１に記載の構造では、偏心カムの刃がカードに当接した阻止状態において、カードを抜き取ることも更に挿入することもできないように強固に固定するとしている（特許文献１の実施例６参照）。そしてこの場合、偏心カムとともに回転するレバーと、このレバーを固定する固定具とを備えて構成される。阻止状態を解除するには、固定具を回転させた後、レバーを回転させるという２つの操作が必要になる（特許文献１の〔０１１６〕段落参照）。【０００８】
すなわち特許文献１に記載された構造では、阻止状態においてカードを強固に固定するためにレバーの他に固定具が必要となる。その結果、部品点数が増えるため装置全体が大型化するという課題がある。また阻止状態を解除する場合には固定具を操作した後、レバーを操作するという２つの操作を適切な操作順序に従って操作する必要があり、解除操作を把握していない場合には阻止状態を解除することができないという課題がある。【０００９】
また特許文献１に記載された構造では、阻止状態においてカードを挿入口から抜き取ろうとすると、偏心カムの刃がカードに食い込むように構成されているが、更にカードを挿入方向に押し込んでも刃がカードに食い込むことはない。これを利用して、例えば阻止状態において偏心カムの刃とカードとの間にカード形状の薄板（例えばシム板）を滑り込ませるように挿入することができる。【００１０】
このとき偏心カムにはシム板の挿入方向の力が付勢されるだけであり、刃がカードやシム板に食い込むことはない。偏心カムの刃とカードとの間にシム板を挿入させた状態でシム板の位置を固定したままカードを抜き取り方向に移動させると、カードを挿入口から容易に抜き取ることができてしまう。よってカードフィッシングをより強固に阻止するためには、阻止状態において偏心カムの刃とカードとの間に異物が挿入されることを阻止する構成が必要となる。【００１１】
本発明は以上の点を考慮してなされたもので、阻止状態においてカードを強固に固定するとともに装置全体の小型化及び解除操作の簡易化を図り、かつ、刃とカードとの間に異物が挿入されることを阻止し得るカード処理装置及び自動取引装置を提案するものである。
【課題を解決するための手段】
【００１２】
かかる課題を解決するために、阻止機構は、第１の阻止部材と、第２の阻止部材と、リンク部材と、カバー部材とを備え、第１の阻止部材は、阻止状態解除レバー押下時に第２の阻止部材の動作の制限を解除するように動作し、第２の阻止部材は、阻止状態解除レバー押下時に刃をカードに接触させた状態を解除するように動作し、リンク部材は、阻止状態解除レバー押下時に第１の阻止部材の動作に連動して第２の阻止部材が動作するように第１の阻止部材と第２の阻止部材とを接続し、カバー部材は、阻止状態解除レバー押下時に端部をカードに当接させた状態を解除するように動作することを特徴とする。
【発明の効果】
【００１３】
本発明によれば、阻止状態においてカードを強固に固定するとともに装置全体の小型化及び解除操作の簡易化を図り、かつ、刃とカードとの間に異物が挿入されることを阻止することができる。
【図面の簡単な説明】
【００１４】
【図１】カード処理装置の全体構成図である。
【図２】通常取引時における阻止機構の全体構成図である。
【図３】通常取引時における阻止機構の全体構成図である。
【図４】阻止状態時における阻止機構の全体構成図である。
【図５】阻止状態時における阻止機構の全体構成図である。
【図６】阻止機構の分解斜視図である。
【発明を実施するための形態】
【００１５】
（１）カード処理装置の構成
図１は、本実施の形態におけるカード処理装置１の全体構成を示す。カード処理装置１は、磁気カード又はＩＣカードのような各種情報が記録されたカードが挿入口から挿入されると、カードを所定の位置まで搬送する。そして磁気ヘッド２０又はＩＣ接点ユニット（図示省略）を用いて、カードに予め記録されている情報を読み取り、またはカードに新たな情報を書き込む。
【００１６】
カード処理装置１は、搬送ローラ１０、磁気ヘッド２０、ヘッド対向ローラ２５及び阻止機構３０等を備えて構成される。一対の搬送ローラ１０は、搬送ラインＸに対して上下に対向配置され、搬送ラインＸに沿ってカードを搬送するように回転する。ここでは一対の搬送ローラ１０は、カードを右から左に向けて搬送するように図示されている。
【００１７】
磁気ヘッド２０は、搬送ラインＸ方向において前後に配置された２組の搬送ローラ１０間に設置され、また搬送ラインＸの直下に配置される。磁気ヘッド２０は、搬送ラインＸに沿って搬送されてきたカードに記録されている個人情報等の固定データを読み取る。ヘッド対向ローラ２５は、磁気ヘッド２０上に設置され、磁気ヘッド２０上まで搬送されてきたカードを読み取り可能に押圧する。
【００１８】
阻止機構３０は、挿入口近傍に設置される。阻止機構３０は、センサ（図示省略）等により異常が検知されると、端部に備える刃をカードに接触させるように動作し、カードを抜き取ろうとすると刃をカードに食い込ませて、カードを抜き取ることができないように強固に固定する。なおセンサは、例えば挿入口に最も近い一対の搬送ローラ１０を回転させているにもかかわらず、実際にはカードが搬送されていない場合に異常を検知する。
【００１９】
この阻止機構３０を備えることにより、カード処理装置１に予め細工を施して意図的にカードを詰まらせ、カード利用者が係員を呼ぶために現場を離れた隙に工具等を利用して詰まらせたカードを抜き取るという不正行為（カードフィッシング）を防止することができる。
【００２０】
本実施の形態においては、この阻止機構３０の小型化を図るとともに、阻止機構３０が動作した後の阻止状態を解除する際、解除操作の簡易化を図ろうとするものである。また阻止状態において刃とカードとの間にシム板等の薄板が挿入されることを阻止し、阻止状態の更なる強化を図るものである。以下図２〜図６を参照して、この阻止機構３０の詳細な構成について説明する。
【００２１】
（２）通常取引時における阻止機構の構成
図２は、通常取引時における阻止機構３０の全体構成を示す。カードはカード搬送方向Ｘ１（右から左）に搬送される。阻止機構３０は、アクチュエータ３１、引っ張りばね３２、第１の阻止部材３３、リンク部材３４、第２の阻止部材３５、圧縮ばね３６、台３７及びカバー部材３９等を備えて構成される。
【００２２】
アクチュエータ３１は、吸引可能な可動鉄心３１１を備え、センサにより異常が検知されると可動鉄心３１１を吸引する。なお吸引方向は、ここでは紙面手前から奥に向かう方向である。アクチュエータ３１が可動鉄心３１１を吸引すると、可動鉄心３１１に接続されているアーム３８（図６参照）が可動する。
【００２３】
通常取引時においては、アクチュエータ３１は可動鉄心３１１を吸引せず、可動鉄心３１１に接続されているアーム３８は可動しない。よって溝３５１とアーム３８の端部３８１とが係合した状態が維持される。この場合、アーム３８により第２の阻止部材３５がカードから一定の距離だけ退避した状態で支持される。
【００２４】
引っ張りばね３２は、ブラケット１００（図６参照）に形成される張架部材１０１と、第１の阻止部材３３に形成される張架部材３３１とに張架される。引っ張りばね３２は、張架部材３３１に対して、第１の阻止部材３３を反時計回りに回転させる方向に引っ張り力を付勢するが、通常取引時においては、第１の阻止部材３３は第２の阻止部材３５により回転が制限されており、引っ張りばね３２の引っ張り力によっては回転しないように支持される。
【００２５】
第１の阻止部材３３は、回転軸３３２から第１の凹凸部３３３までの距離が均一ではない偏心カムである。また第１の阻止部材３３には阻止状態解除レバー３３４が形成されている。本実施の形態においては、この阻止状態解除レバー３３４を押下するだけで、阻止状態（図４、図５）を解除して、この通常取引状態（図２、図３）を形成することができる。通常取引時において第１の阻止部材３３は、第２の阻止部材３５により回転が制限されて支持される。
【００２６】
リンク部材３４は、一端が第１の阻止部材３３に接続され、他端が第２の阻止部材３５に接続されることにより、第１の阻止部材３３と第２の阻止部材３５とを接続し、両者を連動させて動作させる部材である。
【００２７】
第２の阻止部材３５は、溝３５１及び第２の凹凸部３５２を備える他、回転軸３５３及び刃３５４を備え、回転軸３５３から刃３５４の先端までの距離が均一ではない偏心カムである。通常取引時においては、第２の阻止部材３５はアーム３８により刃３５４がカードから一定の距離だけ退避した状態で回転が制限されて支持される。一方で第２の阻止部材３５は、第１の阻止部材３３の回転を制限しつつ第１の阻止部材３３を支持する。
【００２８】
圧縮ばね３６は、一端が第２の阻止部材３５の一部に接続されており、他端がブラケット１００（図６参照）の壁１０２に移動可能に当接される。圧縮ばね３６は、第２の阻止部材３５に対して、第２の阻止部材３５を反時計回りに回転させる方向に押圧力を付勢するが、通常取引時においては、第２の阻止部材３５はアーム３８によりカードから一定の距離だけ退避した状態で回転が制限されて支持される。
【００２９】
図３は、図２の阻止機構３０を反対方向（紙面裏側）から見たときの阻止機構３０の全体構成を示す。よってカードはカード搬送方向Ｘ１（左から右）に向かって搬送される。ここでは特にカバー部材３９、引っ張りばね４０及び突起３３５について説明する。通常取引時においてカバー部材３９は、突起３３５により端部がカードから一定の距離だけ退避した状態で支持される。
【００３０】
引っ張りばね４０は、ブラケット１００に形成される突起１０３と、カバー部材３９に形成されている張架部材３９１とに張架される。引っ張りばね４０は、カバー部材３９に対して下方に引っ張り力を付勢するが、通常取引時においては、カバー部材３９は突起３３５により移動が制限されており、引っ張りばね４０の引っ張り力によっては下方に移動しないように支持される。
【００３１】
突起３３５は、第１の阻止部材３３に形成される突起であり、カバー部材３９をカードから一定の距離だけ退避させた状態で支持する。また突起３３５は、第１の阻止部材３３の動作に連動して上下に移動する。ここでは第１の阻止部材３３が反時計回り（図２においては時計回り）に回転すると、突起３３５は上方向に移動する。このとき突起３３５は、引っ張りばね４０の引っ張り力に抗って、カバー部材３９を上方向に移動させる。
【００３２】
すなわち本実施の形態においては、阻止状態解除レバー３３４を押下するだけで、第１の阻止部材３３が反時計回りに回転する動作に連動して突起３３５がカバー部材３９を上方向に移動させることができる。そしてアーム３８により第２の阻止部材３５が支持されると、第２の阻止部材３５により第１の阻止部材３３が支持される。この結果、第１の阻止部材３３の突起３３５によりカバー部材３９を支持して固定させることができる。
【００３３】
（３）阻止状態時における阻止機構の構成
図４は、阻止状態時における阻止機構３０の全体構成を示す。カードはカード搬送方向Ｘ１（右から左）に沿って搬送される。アクチュエータ３１が可動鉄心３１１を紙面手前から奥方向に吸引すると、可動鉄心３１１に接続されているアーム３８（図６参照）が可動する。アーム３８の端部３８１が溝３５１から外れると、この阻止状態（図４及び図５）が形成される。
【００３４】
引っ張りばね３２は、張架部材３３１に対して、第１の阻止部材３３を反時計回りに回転させる方向に引っ張り力を付勢しており、アーム３８の端部３８１が溝３５１から外れると、引っ張り力により第１の阻止部材３３を反時計回りに回転させる。
【００３５】
第１の阻止部材３３は、張架部材３３１を介して、引っ張りばね３２により引っ張り力が付勢されており、アーム３８の端部３８１が溝３５１から外れると、第２の阻止部材３５による支持が解除され、回転軸３３２を軸として反時計回りに回転する。そして第１の阻止部材３３は、端部に形成されている第１の凹凸部３３３が第２の阻止部材３５上に接触すると、回転を停止して阻止状態を形成する。
【００３６】
なお上記の通り第１の阻止部材３３は、回転軸３３２から第１の凹凸部３３３までの距離が均一ではない偏心カムである。よって第１の凹凸部３３３が第２の阻止部材３５上に接触した後に第２の阻止部材３５が反時計回りに回転する場合であっても、接触状態を維持することができる。
【００３７】
第１の凹凸部３３３が第２の阻止部材３５上に接触すると、第１の凹凸部３３３は、第２の阻止部材３５の端部に形成されている第２の凹凸部３５２と係合し、第２の阻止部材３５が時計回りに回転することを阻止する。なお反時計回りに回転することは阻止しない。
【００３８】
また第１の阻止部材３３には、阻止状態解除レバー３３４が形成されている。阻止状態解除レバー３３４が解除方向に押下されると、第１の阻止部材３３は、回転軸３３２を軸として、引っ張りばね３２の引っ張り力に抗って、時計回りに回転する。時計回りに回転した後は、第２の阻止部材３５により回転が制限されて支持される。そして通常取引状態（図２、図３）が形成される。
【００３９】
リンク部材３４は、ここで示す阻止状態においては第１の阻止部材３３及び第２の阻止部材３５に対して作用することはないが、阻止状態から阻止状態解除レバー３３４が押下されて第１の阻止部材３３が時計回りに回転する際、第１の阻止部材３３の回転動作に連動させて、第２の阻止部材３５を時計回りに回転させる。
【００４０】
ここで、リンク部材３４の作用について説明する。阻止状態解除レバー３３４が押下されると、第１の阻止部材３３が引っ張りばね３２の引っ張り力に抗って、回転軸３３２を軸に時計回りに回転する。そしてこのとき第１の阻止部材３３は、接続されているリンク部材３４の一端を上方に持ち上げる。
【００４１】
リンク部材３４は、一端が第１の阻止部材３３の回転動作により上方に持ち上げられると、全体が上方向に移動する。そして他端が上方向に持ち上げる力を第２の阻止部材３５に付勢する。第２の阻止部材３５は、リンク部材３４の他端から上方向に持ち上げる力が付勢されると、圧縮ばね３６の押圧力に抗って、回転軸３５３を軸に時計回りに回転する。
【００４２】
第２の阻止部材３５が時計回りに回転すると、溝３５１が所定の位置まで移動する。所定の位置とは、アーム３８の端部３８１が配置されている位置である。溝３５１が所定の位置まで移動すると、溝３５１とアーム３８の端部３８１とが係合し、アーム３８により第２の阻止部材３５が支持されて固定される。これにより阻止状態が解除される。
【００４３】
押下していた阻止状態解除レバー３３４を離すと、第１の阻止部材３３は、引っ張りばね３２の引っ張り力を受けて、回転軸３３２を軸として反時計回りに微小回転する。そして第１の阻止部材３３は、第１の凹凸部３３３の下端付近が第２の凹凸部３５２の上端付近に接触すると、第２の阻止部材３５に支持されて回転を停止する。これにより異常を検知する前の通常取引状態（図２及び図３）が形成される。
【００４４】
第２の阻止部材３５は、アーム３８の端部３８１が溝３５１から外れると、圧縮ばね３６により付勢されている押圧力を受けて、回転軸３５３を軸として反時計回りに回転する。そして第２の阻止部材３５は、端部に形成されている刃３５４がカード上に接触すると、回転を停止して阻止状態を形成する。
【００４５】
なお第２の阻止部材３５は、回転軸３５３から刃３５４の先端までの距離が均一ではない偏心カムである。よって刃３５４がカード上に接触した後に第２の阻止部材３５が反時計回りに回転する場合であっても、接触状態を維持することができる。
【００４６】
刃３５４がカード上に接触すると、刃３５４によってカードは台３７に押し当てられ、刃３５４とカードとの間に摩擦力が働く。この摩擦力が働いている状態でカードを右方向（カード搬送方向Ｘ１の逆方向）に引っ張ると、第２の阻止部材３５は摩擦力を受けて更に反時計回りに微小回転する。その結果、カードは台３７によって下方に下がることができないため、必然的に刃３５４がカードに食い込み、カードが不正に抜き取られることを阻止することができる。
【００４７】
さらに本実施の形態においては、カバー部材３９が第１の阻止部材３３の回転動作に連動して、カードに当接するように動作する。これにより刃３５４とカードとの間にカード形状の薄板（例えばシム板）が挿入されることを防止することができ、カードが不正に抜き取られることをより強固に阻止することができる。
【００４８】
圧縮ばね３６は、一端が第２の阻止部材３５の一部に接続されており、他端がブラケット１００（図６参照）の壁１０２に移動可能に当接される。圧縮ばね３６は、上記説明したように第２の阻止部材３５に対して押圧力を付勢しており、アーム３８の端部３８１が溝３５１から外れると、押圧力により第２の阻止部材３５を反時計回りに回転させる。
【００４９】
図５は、図４の阻止機構３０を反対方向（紙面裏側）から見たときの阻止機構３０の全体構成を示す。よってカードはカード搬送方向Ｘ１（左から右）に搬送される。ここでは特にカバー部材３９、引っ張りばね４０及び突起３３５について説明する。阻止状態時においてカバー部材３９は、突起３３５による支持が解除され、引っ張りばね４０の下方向の引っ張り力により下方に移動し、先端がカードに当接するように動作する。
【００５０】
引っ張りばね４０は、カバー部材３９に対して下方に引っ張り力を付勢して、突起３３５による支持が解除されたカバー部材３９を下方に引っ張る。突起３３５は、第１の阻止部材３３の動作に連動して上下に移動する。ここでは第１の阻止部材３３が時計回り（図４においては反時計回り）に回転すると、突起３３５は下方向に移動する。この結果、カバー部材３９の先端がカードに当接する。
【００５１】
（５）阻止機構の斜視構成
図６は、阻止機構３０の分解斜視図である。阻止機構３０を構成する各部材は、ブラケット１００に設置される。ブラケット１００には、各部材を設置するための突起や穴等が形成されており、各部材を所定の場所に設置することで各部材が適切に収容される。ここでは異常が検知される前の通常状態（図２、図３）から異常が検知された後の阻止状態（図４、図５）が形成される際の動作について、部材とともに説明する。
【００５２】
アクチュエータ３１は、ここではブラケット１００の所定の位置に予め固定されており、ここでは図示されていない可動鉄心３１１にはアーム３８が接続される。アーム３８は、可動鉄心３１１に接続される一方で、通常状態においては端部３８１で溝３５１を支持し、第２の阻止部材３５を固定する（図２、図３）。
【００５３】
異常が検知されると、アクチュエータ３１は可動鉄心３１１を吸引する。可動鉄心３１１が吸引されると、この可動鉄心３１１に接続されているアーム３８は、可動鉄心３１１の吸引方向に一端が引っ張られて、回転軸３８２を軸として反時計回りに回転する。するとアーム３８の端部３８１が溝３５１から外れ、第２の阻止部材３５は支持されなくなる。
【００５４】
第２の阻止部材３５は、アーム３８により支持されなくなると、ここでは図示されていない圧縮ばね３６により付勢されている押圧力を受けて反時計回りに回転し、刃３５４が台３７上のカードに接触すると回転を停止する。一方第１の阻止部材３３は、第２の阻止部材３５が回転すると、第１の凹凸部３３３と第２の凹凸部３５２との接触状態が解除され、支持されなくなる。
【００５５】
第１の阻止部材３３は、第２の阻止部材３５により支持されなくなると、引っ張りばね３２により付勢されている引っ張り力を受けて反時計回りに回転し、第１の凹凸部３３３が第２の凹凸部３５２に接触すると回転を停止する。
【００５６】
このときカバー部材３９は、第１の阻止部材３３が反時計回りに回転する動作に連動して突起３３５が下方に移動し、突起３３５により支持されなくなる。突起３３５に支持されなくなると、カバー部材３９は引っ張りばね４０の下方向の引っ張り力を受けて下方に移動し、カードに当接すると移動を停止する。
【００５７】
アーム３８の端部３８１が溝３５１から外れて第１の阻止部材３３及び第２の阻止部材３５の回転動作が停止した状態において、カードを抜き取ろうとすると、第２の阻止部材３５は更に反時計回りに回転して刃３５４がカードに食い込む。そしてこれ以上、反時計回りに回転しなくなる。
【００５８】
また逆にカードを装置内部に更に挿入しようとしても、第１の凹凸部３３３と第２の凹凸部３５２とが係合して接触しているため、第２の阻止部材３５が時計回りに回転することを第１の阻止部材３３が阻止する。よって阻止状態が形成される（図４、図５）。
【００５９】
また刃３５４とカードとの間にシム板のような異物を挿入しようとしても、カバー部材３９の先端がカード上に当接して異物の挿入を阻止することができる。よってより強固な阻止状態が形成される（図５）。
【００６０】
なおこの阻止状態を解除する場合の解除操作としては、上記説明したように阻止状態解除レバー３３４を押下するだけでよい。阻止状態解除レバー３３４を押下すると、第１の阻止部材３３は時計回りに回転し、この回転動作をリンク部材３４が第２の阻止部材３５に伝達し、第２の阻止部材３５も連動して時計回りに回転する。また第１の阻止部材３３の回転動作に連動して突起３３５が上方向に移動し、この突起３３５の上方向の移動に連動してカバー部材３９も引っ張りばね４０の引っ張り力に抗って上方向に移動する。
【００６１】
溝３５１が所定の位置に到達すると、アーム３８の端部３８１が溝に係合し、これにより第２の阻止部材３５がアーム３８により支持されて固定される。そして第２の阻止部材３５が固定されることにより、第１の阻止部材３３は第２の阻止部材３５により支持されて固定されることになる。第１の阻止部材３３が固定されることにより、突起３３５に支持されるカバー部材３９も固定される。
【００６２】
（６）本実施の形態による効果
以上のように本実施の形態におけるカード処理装置１によれば、第１の阻止部材３３と第２の阻止部材３５とをリンク部材３４により接続し、第１の阻止部材３３の回転動作に連動させて第２の阻止部材３５も回転動作させるようにし、合わせて第１の阻止部材３３の回転動作に連動させてカバー部材３９を上下方向に動作させるようにしたので、阻止状態を解除する際、阻止状態解除レバー３３４を押下するだけで、第１の阻止部材３３及び第２の阻止部材３５の両方を回転させるとともにカバー部材３９を上方向に移動させて阻止状態を解除することができる。
【００６３】
また阻止状態時には、第２の阻止部材３５が反時計回りに回転すると刃３５４がカードに食い込み、第２の阻止部材３５が時計回りに回転しようとしても第１の阻止部材３３が第２の阻止部材の時計回りの回転を阻止するようにしたので、カードを強固に固定することができる。更にカバー部材３９がカードに当接するように動作し、刃３５４とカードとの間に異物が挿入されることを防止するようにしたので、カードが不正に抜き取られることをより強固に阻止することができる。
【００６４】
よって阻止状態においてカードを強固に固定するとともに装置全体の小型化及び解除操作の簡易化を図り、かつ、刃３５４とカードとの間に異物が挿入されることを阻止することができる。
【符号の説明】
【００６５】
１      カード処理装置
１０    搬送ローラ
２０    磁気ヘッド
２５    ヘッド対向ローラ
３０    阻止機構
３１    アクチュエータ
３２    引っ張りばね
３３    第１の阻止部材
３４    リンク部材
３５    第２の阻止部材
３６    圧縮ばね
３７    台
３８    アーム
３９    カバー部材
４０    引っ張りばね
【図１】
2016163143.tif 000003
【図２】
2016163143.tif 000004
【図３】
2016163143.tif 000005
【図４】
2016163143.tif 000006
【図５】
2016163143.tif 000007
【図６】
2016163143.tif 000008
【国際調査報告】
2016163143.tif 000009
2016163143.tif 000010